(57)【要約】【課題】  登録情報と提示情報を照合し合致しない場合は、前照灯等が強制的に点滅し、通常の状態ではの運行が不可能となるようにした、フラッシャースイッチのコントロール方法を提供する。【解決手段】  コンピューターＡとコンピューターＢの二つのコンピューターにおいて、運転可能な者の情報、たとえば運転免許証記載事項等、をコンピューターＡにあらかじめ入力しておき（これを登録情報という）、運転者は運転開始時に自己の情報をコンピューターＢへ提示し、エンジンの始動と同時に両情報の照合がコンピューターＡ内で行われ、合致していなければ前照灯等が強制的に点滅し、正常な運行が不可能になる。一方、両情報が合致すれば点滅はおこらない。  なお、提示情報がない場合は自動的に情報の不一致となる。【選択図】    図１
2010089610.tif 000002
【特許請求の範囲】
【請求項１】
電灯やクラクション等の機器等に電源が入れば自動的に点滅しながら作動するフラッシャーのスイッチにおいて、エンジン始動と同時にあらかじめ登録した登録情報と提示された提示情報の照合がおこなわれ、両情報が合致した場合は当該スイッチが切断され当該機器等の自動点滅は開始されないが、他方当該両情報が相違した場合もしくは提示情報がない場合には、当該スイッチが接続され当該機器等が強制的に自動点滅を開始するようにした、フラッシャースイッチのコントロール方法
【発明の詳細な説明】
【技術分野】
【０００１】
本発明は、主として自動車や自動二輪車などの前照灯やクラクション等を点滅させるフラッシャースイッチを登録済の情報と提示された情報を照合したうえで、そのＯＮ  ・ＯＦＦを決定するフラッシャースイッチのコントロールに関するものである。
【背景技術】
【０００２】
コンピューターへ登録済の情報（以後「登録情報」という）と提示された情報（以後「提示情報」という）をコンピューター上で照合し、エンジンの始動をコントールし、自動車等の盗難防止を図る技術は過去に示されているが、情報の照合による前照灯やクラクションなどの機器等の点滅作動をコントロールする技術はなかった。
【０００３】
情報の照合によって盗難防止をはかる過去の特許文献等については以下のようなものがある。すなわち（イ）キーのＩＤ照合が成立しない時はエンジンが始動不許可とした盗難防止効果を高めたもの（特許文献１）（ロ）運転者の生体情報を入力したＩＣカードを用いて盗難防止効果を高めようとする発明（特許文献２）、等の発明が知られている。
【特許文献１】特許公開平１０−１９４０８７
【特許文献２】特許公開２００３−１５２７１０
【発明の開示】
【発明が解決しようとする課題】
【０００４】
上述したように、登録情報と提示情報をコンピューター上で照合し、エンジンの始動をコントールし、自動車等の盗難防止を図る技術は過去に示されている。
これらの技術では、エンジンの始動に際して両情報を照合し合致している場合はエンジンの始動を可能にし、不一致の場合はエンジンが始動しないものであった。これはこれで有効ではあるが、例えばホテルなどでホテル従業員が顧客（他人）の車を車庫等へ移動することができない、という問題が生じていた。また、数分間だけは不一致でもエンジンの始動を可能にしこのような問題を解決をはかろうとするものもあったが、許された時間を超過した場合にはエンジンが止まってしまうという不便さがあった。これらはいずれも盗難防止を主とするものであった
本発明は、情報が不一致の場合でもエンジンを始動させつつ、上記のような問題点を解決するためになされたものである。
【課題を解決するための手段】
【０００５】
本発明の対象を自動車に限定するものではないが、理解を深めるため自動車を対象にして論をすすめることとする。
コンピューターＡ１とコンピューターＢ２は自動車に設置してある（車載されている）。
当該コンピューターＡ１には、あらかじめ当該自動車の使用を許可する者の情報、例えば当該自動車を使用しようとする者の運転免許証の氏名や番号等運転免許証記載事項を入力しておく。これを登録情報２００という。当該登録情報２００は複数の者の情報であってもよい。人数を限定するものではない。
当該コンピューターＢ２は、提示された情報（これを「提示情報１００」という）を読み取り、当該コンピューターＡ１に送信する機能が付与されている。
当該自動車の前照灯や車幅灯等の各種電灯類やクラクション等（以後これらを「機器等」という）には、電源が入ればこれらを強制的に点滅させながら始動させるフラッシャースイッチが設けてある。点滅させる機器等に制限はない。以上が本発明の装置である。
【０００６】
あて、ある者が当該自動車を運転しようとする時に、当該運転者の情報（当該提示情報１００）を当該コンピューターＢ２を経由して当該コンピューターＡ１に送信すると、当該コンピューターＡ１内では、当該登録情報２００と当該提示情報１００との照合が行われ、両情報が合致２０３している場合は、フラッシャースイッチへ電源の切断指示２０５が出されるので、当該機器等は点滅しない１０１で、運転が可能となる。すなわち通常通りの運転が可能である。
一方、照合結果が不一致２０４の場合には、フラッシャースイッチへ電源の入力指示２０６が出される。これにより当該機器等は強制的に点滅が開始される。すなわち当該自動車の運行は可能であるが、前照灯やクラクションなど点滅するようにしておいた当該機器
等は強制的に点滅したり、クラクションがなったりするので、正常な状態と思われる運行は不可能となる。すなわち当該自動車の運行は事実上不可能となる。
なお、当該提示情報１００が提示されなかった場合には、当該登録情報との照合は「不一致」となるように設定しておく。このことにより、情報を提示しない者が運転（運行）した場合には、両情報が不一致２０４の場合と同じ支持が当該コンピューターＡから出されることになる。
なお、情報の照合はエンジンの始動と同時に行われる。
【発明の効果】
【０００７】
本発明においては上述したように、当該自動車のエンジンを始動し運行は誰でも可能であるため、ホテルでの自動車の整理に「登録者」以外の者が運行できないという欠点は解決できる。また、ホテルでの自動車の整理時に機器等が点滅しながらの運行が問題（いや）なら、５分もしくは１０分という短時間の範囲なら両情報が不一致でも当該機器等が強制的に点滅しないように設計をしておけば、ホテルでの車の処理は解決できる。
本発明では、登録情報を「運転免許証の記載事項」にしておけば、運転免許証不携帯運転という違反も防止できる。また情報不一致の場合には、周囲の人に異常な形での運行状態を示すことになるので事実上運行は不可能となり、無免許運転や盗難防止、犯罪時の盗難車の利用防止など、社会に大いに役立つものである。
【発明を実施するための最良の形態】
【０００８】
本発明の手段は記述のとおりである。実施方法には以下のようなものがある。
【実施例１】
【０００９】
運行を許可する者の情報をコンピューターＡ１に入力するとともに、当該情報をＩＣチップにも入力しておき、当該情報が入力されたＩＣチップ付きＩＣカードを交付しておく。
当該自動車を運行する場合は、持参したＩＣカードを車載されたコンピューターＢに読み取らせ、情報の照合を行う。この照合は当該自動車のエンジン始動と同時に行われる。
この場合には、コンピューターＢ（ＩＣチップの一端側）は発信機能を持っておリ、他端側のＩＣチップ（コンピューターＡ）は受信機能を備えておく必要がある（以下同様）。
【実施例２】
【００１０】
運転免許証に当該運転免許証記載事項を入力したＩＣチップを埋めこんだ運転免許証を交付し、車検時にもしくは自動車の登録時に、当該運転免許証情報をコンピューターＡ１に入力しておく方法もある。
なお、本件のように強制的に本方式を行う場合は、コンピューターＡへの入力・削除は、警察等の指定業者のみが可能としてもよい。
【実施例３】
【００１１】
コンピューターＢに連結した入力盤を車載しておき、運転を行う者は当該入力盤に自分の情報を入力し、コンピューターＡで登録情報と照合を行う方式も考えられる。
本方式を強制的に行う場合は（実施例２）記載のとおりにおこなう。
【産業上の利用可能性】
【００１２】
本発明は、二つのコンピューターで二つの情報の照合を行い、照合に伴う指示をフラッシャースイッチへ行うことを基本としているもので、産業上容易に利用可能な方法である。。
【図面の簡単な説明】
【００１３】
【図１】情報の照合状況と照合結果の表示状況の本発明の流れを示す図
【符号の説明】
【００１４】
１      コンピューターＡ
２      コンピューターＢ
１０    提示
１１    提示情報送信
１００  提示情報
２００  登録情報（許可条件情報）
２０１  提示情報受信
２０２  登録情報と提示情報とを照合
２０３  両情報が一致
２０４  両情報が不一致
２０５  フラッシャースイッチへ電源切断指示
２０６  フラッシャースイッチへ電源の入力指示
１０１  機器等は点滅せず
１０２  機器等が強制的に点滅
【図１】
2010089610.tif 000003